【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
ベッド用エアシステムであって、
ヘッド端部、フット端部、第１側部及び第２側部を有する層アセンブリと、
分配マニホルドと、
を備え、
前記層アセンブリは、前記ヘッド端部付近のヘッド部、前記フット端部付近のフット部、及び、前記ヘッド部と前記フット部との間の中間部分、を有しており、
前記層アセンブリは、スペーサ材料を有するスペーサ層と、カバー上部層とカバー底部層とを有するカバーと、を有しており、
エアフローが前記スペーサ材料を通流できるようになっており、
前記カバーは、前記スペーサ層の上方において当該スペーサ層を前記カバー上部層で実質的に覆うと共に、前記スペーサ層の下方において当該スペーサ層を前記カバー底部層で実質的に覆っており、
前記分配マニホルドは、前記カバーの一部を通って延びており、
前記分解マニホルドは、前記カバー底部層の上方であって前記スペーサ層の下方に位置決めされていて、当該分配マニホルドからのエアを前記スペーサ層の下方の空間に流し、当該スペーサ層の下方の空間から当該スペーサ層内に流し、当該スペーサ層から前記カバー上部層を通るように流す
ことを特徴とするエアシステム。
【請求項２】
前記ヘッド端部から延在し、第１保持部を有する、第１フラップと、
前記フット端部から延在し、第２保持部を有する、第２フラップと、
を更に備え、
当該エアシステムは、
前記層アセンブリがマットレス上に位置決めされる時、前記第１及び第２フラップが、各々、前記マットレスの両側端部及び前記マットレスの下方のタックに巻き付くようなサイズ及び形態に構成されており、
前記第１及び第２保持部は、前記マットレス上に前記層アセンブリを少なくとも部分的に保持するように、前記マットレスの下方に位置決めされる
というサイズ及び形態に構成されている
ことを特徴とする請求項１に記載のエアシステム。
【請求項３】
前記層アセンブリは、二人用マットレス上に位置決めされるように構成され、当該マットレスの上面の約半分を覆うようなサイズであり、
前記第１及び第２フラップは、前記二人用マットレス上に前記層アセンブリを保持するのに適している
ことを特徴とする請求項２に記載のエアシステム。
【請求項４】
前記分配マニホルドは、前記第１側部に近接する前記層アセンブリに接続され、
当該エアシステムは、前記第２側部に近接する前記層アセンブリに接続された１または複数のコネクタを更に備え、
前記１または複数のコネクタは、前記層アセンブリの前記第２側部を第２の層アセンブリの側部に接続するように構成されている
ことを特徴とする請求項２または３に記載のエアシステム。
【請求項５】
前記分配マニホルドは、前記第１側部に近接する前記層アセンブリに接続され、
当該エアシステムは、
前記第２側部に近接する前記層アセンブリに接続され、前記層アセンブリの少なくとも部分的に下方に位置決めされた複数のボタンと、
前記層アセンブリの前記第２側部に近接して位置決めされた複数のループと、
を更に備え、
前記複数のループは、前記複数のボタンに対して、
当該複数のループが、前記層アセンブリと類似に構成された第２の層アセンブリのボタンに接続可能であって、
当該複数のボタンが、前記層アセンブリを前記第２の層アセンブリと相互接続するように前記第２の層アセンブリのループに接続可能である
というように位置決めされている
ことを特徴とする請求項１乃至４のいずれかに記載のエアシステム。
【請求項６】
調整可能な基礎部と、
前記調整可能な基礎部上に位置決めされたマットレスと、
請求項１に記載のエアシステムと、
を備え、
前記層アセンブリは、当該層アセンブリの前記第２側部が前記マットレスの中央に実質的に整列された状態で、前記マットレスの第１側部上で当該マットレスの上方に位置決めされており、
前記分配マニホルドは、前記マットレスの側部に近接する前記層アセンブリの前記第１側部において、前記層アセンブリに接続されており、
前記分配マニホルドは、前記マットレスの当該側部の少なくとも一部に沿って垂れ下がっている
ことを特徴とするベッドシステム。
【請求項７】
前記エアシステムは、
前記ヘッド端部から延在し、前記マットレスの下方に位置決めされた第１保持部を有する、第１フラップと、
前記フット端部から延在し、前記マットレスの下方に位置決めされた第２保持部を有する、第２フラップと、
エアを供給するように構成されたエアエンジンと、
前記分配マニホルドを介して前記層アセンブリに前記エアエンジンを接続するホースアセンブリと、
を更に備え、
当該ベッドシステムは、
前記マットレス、前記層アセンブリ、前記第１フラップ、前記第２フラップ及び前記分配マニホルドを少なくとも部分的に覆うマットレスカバー
を更に備えたことを特徴とする請求項６に記載のベッドシステム。
【請求項８】
エア層にエアを供給する手段
を更に備えたことを特徴とする請求項１乃至５のいずれかに記載のエアシステム。
【請求項９】
前記層アセンブリをベッドに接続する手段
を更に備えたことを特徴とする請求項１乃至５並びに８のいずれかに記載のエアシステム。
【請求項１０】
前記層アセンブリを通る流路を規定する手段
を更に備えたことを特徴とする請求項１乃至５並びに８乃至９のいずれかに記載のエアシステム。
【請求項１１】
前記分配マニホルドは、鉛直延在部と、前記鉛直延在部の頂部で当該鉛直延在部に接続された水平延在部と、を含み、
前記鉛直延在部は、当該鉛直延在部の底部よりも当該鉛直延在部の頂部の断面積が大きい流路を規定し、
前記水平延在部は、前記分配マニホルドの前記鉛直延在部から受容されたエアを異なる角度で前記層アセンブリ内に供給するように構成された複数のチャネルを規定している
ことを特徴とする請求項１乃至５並びに８乃至１０のいずれかに記載のエアシステム。
【請求項１２】
前記層アセンブリは、前記スペーサ層の下方の前記層アセンブリの前記中間部分に位置決めされた下部スペーサ材料を更に有しており、
前記分配マニホルドは、前記層アセンブリの前記第１側部において前記層アセンブリの前記中間部分に位置決めされており、
前記分配マニホルドは、前記下部スペーサ材料と整列されていて、前記分配マニホルドから吹き出されるエアの少なくとも一部は、前記下部スペーサ材料内に吹き込まれる
ことを特徴とする請求項１乃至５並びに８乃至１１のいずれかに記載のエアシステム。
【請求項１３】
前記下部スペーサ材料は、前記分配マニホルドに近接する第１下部スペーサ端部から前記層アセンブリの前記第２側部に近接する第２下部スペーサ端部まで延在する細長いストリップであり、
前記スペーサ層は、前記層アセンブリのヘッド端部からフット端部へ、及び、前記第１側部から前記第２側部へ、実質的に延在しており、
前記下部スペーサ材料は、前記分配マニホルドからエアを受け取り、当該下部スペーサ材料を通るエアフローを許容するように構成され、
幾らかのエアが前記下部スペーサ材料から前記層アセンブリの前記第２側部に近接する前記スペーサ層へと流れ、幾らかのエアが前記下部スペーサ材料から前記層アセンブリの前記第１側部に近接する前記スペーサ層へと流れ、幾らかのエアが前記下部スペーサ材料から前記層アセンブリの前記第１側部と前記第２側部との間の前記スペーサ層へと流れる
ことを特徴とする請求項１２に記載のエアシステム。
【請求項１４】
前記層アセンブリは、前記スペーサ層の下方の前記層アセンブリの前記中間部分に位置決めされた下部スペーサ材料を更に有しており、
前記分配マニホルドは、前記下部スペーサ材料よりも厚くて幅広であって、
幾らかのエアが前記分配マニホルドから前記下部スペーサ材料の下方へと流れ、幾らかのエアが前記分配マニホルドから前記下部スペーサ材料内へと流れ、幾らかのエアが前記分配マニホルドから前記下部スペーサ材料の側部へと流れる
ことを特徴とする請求項１乃至５並びに８乃至１１のいずれかに記載のエアシステム。
【請求項１５】
エアエンジンと、
前記分配マニホルドを介して前記層アセンブリに前記エアエンジンを接続するホースアセンブリと、
を更に備え、
前記ホースアセンブリは、曲線部と対向する略直線部を有する略Ｄ字形の断面を有しており、当該ホースアセンブリが接続される時、前記曲線部が前記層アセンブリから離れる方向を向く
ことを特徴とする請求項１乃至５並びに８乃至１１のいずれかに記載のエアシステム。
【請求項１６】
前記ホースアセンブリを前記エアエンジンに接続して、前記ホースアセンブリが前記エアエンジンに対して旋回することを許容し、前記ホースアセンブリのよじれの機会を減少させる手段
を更に備えたことを特徴とする請求項１５に記載のエアシステム。
【請求項１７】
前記層アセンブリは、前記分配マニホルドからの流路を画定するパターンで、前記カバー上部層、前記カバー底部層及び前記スペーサ層を通って延びる縫合部をさらに有しており、
前記縫合部は、前記層アセンブリの前記第１側部から前記第２側部まで前記分配マニホルドからの流れを規制するように、前記層アセンブリの前記中間部分を横断する１または複数の線でパターン化されている
ことを特徴とする請求項１乃至５並びに８乃至１６のいずれかに記載のエアシステム。
【請求項１８】
前記層アセンブリは、前記スペーサ層の下方で前記分配マニホルドと整列された前記層アセンブリの前記中間部分に位置決めされた下部スペーサ材料を更に有しており、
前記層アセンブリは、前記分配マニホルドからの流路を画定するパターンで、前記カバー上部層、前記カバー底部層及び前記スペーサ層を通って延びる縫合部をさらに有しており、
前記縫合部は、前記下部スペーサ材料内に少なくとも部分的に縫合するが、当該下部スペーサ材料を全体的には横断しない１または複数の線でパターン化されている
ことを特徴とする請求項１乃至５、８乃至１１、並びに、１５乃至１７のいずれかに記載のエアシステム。
【請求項１９】
ベッド用エアシステムであって、
ヘッド端部、フット端部、第１側部及び第２側部を有する層アセンブリ
を備え、
前記層アセンブリは、前記ヘッド端部付近のヘッド部、前記フット端部付近のフット部、及び、前記ヘッド部と前記フット部との間の中間部分、を有しており、
前記層アセンブリは、スペーサ材料を有するスペーサ層と、カバー上部層とカバー底部層とを有するカバーと、前記ヘッド端部から延在し第１保持部を有する第１フラップと、前記フット端部から延在し第２保持部を有する第２フラップと、
を有しており、
エアフローが前記スペーサ材料を通流できるようになっており、
前記カバーは、前記スペーサ層の上方において当該スペーサ層を前記カバー上部層で実質的に覆うと共に、前記スペーサ層の下方において当該スペーサ層を前記カバー底部層で実質的に覆っており、
前記カバーは、前記層アセンブリ内へのエア入口を規定しており、
当該エアシステムは、
前記層アセンブリがマットレス上に位置決めされる時、前記第１及び第２フラップが、各々、前記マットレスの両側端部及び前記マットレスの下方のタックに巻き付くようなサイズ及び形態に構成されており、
前記第１及び第２保持部は、前記マットレス上に前記層アセンブリを少なくとも部分的に保持するように、前記マットレスの下方に位置決めされる
というサイズ及び形態に構成されている
ことを特徴とするエアシステム。
【請求項２０】
ベッド用エアシステムであって、
ヘッド端部、フット端部、第１側部及び第２側部を有する層アセンブリと、
分配マニホルドと、
を備え、
前記層アセンブリは、前記ヘッド端部付近のヘッド部、前記フット端部付近のフット部、及び、前記ヘッド部と前記フット部との間の中間部分、を有しており、
前記層アセンブリは、スペーサ材料を有するスペーサ層と、カバー上部層とカバー底部層とを有するカバーと、を有しており、
エアフローが前記スペーサ材料を通流できるようになっており、
前記カバーは、前記スペーサ層の上方において当該スペーサ層を前記カバー上部層で実質的に覆うと共に、前記スペーサ層の下方において当該スペーサ層を前記カバー底部層で実質的に覆っており、
前記分配マニホルドは、前記第１側部において前記カバーの一部を通って延びており、
前記分解マニホルドは、前記ヘッド部、前記中間部分及び前記フット部に向けて前記層アセンブリ内にエアを分配するべくチャネルを規定する複数のリブを有する略扇形である
ことを特徴とするエアシステム。